(57)【要約】【課題】受信可能な周波数を記憶するプリセットメモリを備えた受信機において、プリセットメモリの内容を更新した場合に、元のプリセットメモリの内容を復元可能とする。【解決手段】受信周波数に係る周波数情報をそれぞれ独立して記憶するプリセットメモリ２１および補助メモリ２２を備えた車載受信機１は、マイコン２０の制御により、チューナ部１２によって周波数帯域を掃引して受信可能な周波数を検出し、検出した周波数に基づいてプリセットメモリ２１に記憶した周波数情報を更新する機能を備え、この機能により情報を更新する前に、プリセットメモリ２１に記憶している周波数情報を補助メモリ２２に記憶させる。【選択図】図１
2008085949.tif 000002
【特許請求の範囲】
【請求項１】
それぞれ独立して周波数情報を記憶する周波数情報記憶手段および補助記憶手段と、
周波数帯域を掃引して受信可能な周波数を検出する検出手段と、
前記周波数情報記憶手段に記憶された周波数情報を、前記検出手段により検出された周波数に基づいて更新する制御手段と、を備え、
前記制御手段は、前記周波数情報記憶手段に記憶された周波数情報を更新する前に、前記周波数情報記憶手段に記憶された周波数情報を前記補助記憶手段に記憶させること、
を特徴とする受信機。
【請求項２】
前記周波数情報記憶手段および前記補助記憶手段は、各々複数の周波数に係る周波数情報を記憶可能に構成され、
前記制御手段は、前記検出手段により受信可能な周波数が検出される毎に、前記周波数情報記憶手段に記憶された周波数情報を順次更新するとともに、
前記検出手段による周波数の掃引を開始する前に、前記周波数情報記憶手段に記憶された周波数情報を前記補助記憶手段に記憶させること、
を特徴とする請求項１記載の受信機。
【請求項３】
前記制御手段は、前記周波数情報記憶手段に記憶された周波数情報を前記補助記憶手段に記憶させた後、前記周波数情報記憶手段に記憶された周波数情報を消去すること、
を特徴とする請求項１または２記載の受信機。
【請求項４】
前記周波数情報記憶手段に記憶される周波数情報の復元を指示する復元指示手段をさらに備え、
前記制御手段は、前記復元指示手段による指示が行われた場合に、前記補助記憶手段に記憶された周波数情報を前記周波数情報記憶手段に記憶させること、
を特徴とする請求項１から３のいずれかに記載の受信機。
【請求項５】
前記制御手段は、前記検出手段による周波数帯域の掃引が終了した後において、前記周波数情報記憶手段に記憶された周波数情報のうち更新されなかった周波数情報に識別情報を付与すること、
を特徴とする請求項１から４のいずれかに記載の受信機。
【請求項６】
前記周波数情報記憶手段に記憶された周波数情報を選択する選択指示手段と、
前記選択指示手段により選択された周波数情報に基づいて放送を受信する受信手段と、
前記受信手段により受信された放送の音声を出力する音声出力手段と、をさらに備え、
前記制御手段は、前記選択指示手段により選択された周波数情報に前記識別情報が付与されている場合には、前記音声出力手段による音声出力を停止させること、
を特徴とする請求項５記載の受信機。
【請求項７】
前記制御手段によって前記音声出力手段による音声出力が停止されたことを報知する報知手段をさらに備えること、
を特徴とする請求項６記載の受信機。
【請求項８】
それぞれ独立して周波数情報を記憶する周波数情報記憶手段および補助記憶手段を備えた受信機の制御方法であって、
周波数帯域を掃引して受信可能な周波数を検出し、前記周波数情報記憶手段に記憶された周波数情報を、検出した周波数に基づいて更新する更新機能の実行時、前記周波数情報記憶手段に記憶された周波数情報を更新する前に、前記周波数情報記憶手段に記憶された周波数情報を前記補助記憶手段に記憶させること、
を特徴とする受信機の制御方法。
【発明の詳細な説明】
【技術分野】
【０００１】
本発明は、放送を受信する受信機、および、この受信機の制御方法に関する。
【背景技術】
【０００２】
従来、受信可能な周波数をメモリに記憶する機能を備えたラジオ受信機が知られている。このような機能はプリセット機能と呼ばれ、広く普及している。また、周波数帯域の自動掃引を行って受信可能な周波数を検出し、メモリに記憶するラジオ受信機もあった（例えば、特許文献１参照）。このラジオ受信機は、周波数帯域を掃引してプリセットメモリに記憶した周波数を更新する際に、検出した周波数を補助メモリに記憶し、掃引が終了した後に、補助メモリに記憶した周波数をプリセットメモリに書き込むものである。
【特許文献１】特許第２６７３８３８号公報
【発明の開示】
【発明が解決しようとする課題】
【０００３】
ところで、ラジオの受信状態はラジオ放送局からの距離等によって変動するため、例えば車両に搭載されたラジオ受信機では、長距離を移動する毎に、ユーザの指示により周波数帯域の掃引が行われ、プリセットされた周波数が更新される。ところが、長距離を移動して再び元の場所に戻った場合など、ユーザが、以前にプリセットされていた周波数を再現したいと思っても、その周波数は既に上書きされて失われている。このため、プリセットされた周波数を再現するには、再びユーザが指示を行って周波数帯域の掃引を行う必要があった。
【０００４】
本発明は、上述した事情に鑑み、受信可能な周波数に係る情報を記憶するプリセットメモリを備えた受信機において、プリセットメモリの内容を更新した場合に、元のプリセットメモリの内容を復元可能とすることを目的とする。
【課題を解決するための手段】
【０００５】
上記課題を解決するため、本発明は、それぞれ独立して周波数情報を記憶する周波数情報記憶手段および補助記憶手段と、周波数帯域を掃引して受信可能な周波数を検出する検出手段と、前記周波数情報記憶手段に記憶された周波数情報を、前記検出手段により検出された周波数に基づいて更新する制御手段と、を備え、前記制御手段は、前記周波数情報記憶手段に記憶された周波数情報を更新する前に、前記周波数情報記憶手段に記憶された周波数情報を前記補助記憶手段に記憶させること、を特徴とする受信機を提供する。
この構成によれば、周波数帯域の掃引により検出された周波数に基づいて周波数情報記憶手段に記憶された周波数情報を更新する前に、周波数情報記憶手段に記憶されていた周波数情報が補助記憶手段に記憶される。これにより、周波数情報記憶手段が更新された後に、周波数の掃引および更新が正常に完了されなかった場合だけでなく、更新が正常に完了した後であっても、更新前の状態を、容易に、かつ確実に復元できるので、周波数情報を記憶しておくことによる利便性を高めることができる。
ここで、周波数情報とは、周波数に限定されるものではなく、この周波数で受信を行う際の分周率やＮ値等を含む情報であってもよい。
【０００６】
本発明において、前記周波数情報記憶手段および前記補助記憶手段は、各々複数の周波数に係る周波数情報を記憶可能に構成され、前記制御手段は、前記検出手段により受信可能な周波数が検出される毎に、前記周波数情報記憶手段に記憶された周波数情報を順次更新するとともに、前記検出手段による周波数の掃引を開始する前に、前記周波数情報記憶手段に記憶された周波数情報を前記補助記憶手段に記憶させるものとしてもよい。
この場合、周波数情報記憶手段および補助記憶手段が複数の周波数情報を記憶可能に構成され、周波数の掃引を行う場合は、周波数の掃引開始前に補助記憶手段に周波数情報が記憶され、その後、受信可能な周波数が検出される毎に周波数情報が更新される。このため、周波数情報記憶手段に複数の周波数情報を記憶させることで利便性の向上が図られるとともに、周波数情報記憶手段に記憶された周波数情報を確実に補助記憶手段に記憶しておいて、自在に復元することが可能となり、より一層の利便性の向上が期待できる。
【０００７】
本発明において、前記制御手段は、前記周波数情報記憶手段に記憶された周波数情報を前記補助記憶手段に記憶させた後、前記周波数情報記憶手段に記憶された周波数情報を消去するものとしてもよい。
この場合、周波数情報記憶手段に記憶された周波数情報が消去されるので、例えば複数の周波数情報を記憶可能に構成された周波数情報記憶手段において、一部の周波数情報のみが更新された場合に、以前の周波数情報が更新されないまま残るといったことがない。このため、周波数情報記憶手段が最新の周波数情報だけを記憶した状態を保つことができる。
【０００８】
本発明において、前記周波数情報記憶手段に記憶される周波数情報の復元を指示する復元指示手段をさらに備え、前記制御手段は、前記復元指示手段による指示が行われた場合に、前記補助記憶手段に記憶された周波数情報を前記周波数情報記憶手段に記憶させるものとしてもよい。
この場合、復元指示手段による指示を行うことにより、周波数情報記憶手段に記憶された周波数情報を任意のタイミングで復元することができ、より一層の利便性の向上が期待できる。
【０００９】
本発明において、前記制御手段は、前記検出手段による周波数帯域の掃引が終了した後において、前記周波数情報記憶手段に記憶された周波数情報のうち更新されなかった周波数情報に識別情報を付与するものとしてもよい。
この場合、周波数情報記憶手段に記憶された周波数情報のうち、更新された最新の周波数情報と、更新されていない周波数情報とを容易に区別できる。
【００１０】
本発明において、前記周波数情報記憶手段に記憶された周波数情報を選択する選択指示手段と、前記選択指示手段により選択された周波数情報に基づいて放送を受信する受信手段と、前記受信手段により受信された放送の音声を出力する音声出力手段と、をさらに備え、前記制御手段は、前記選択指示手段により選択された周波数情報に前記識別情報が付与されている場合には、前記音声出力手段による音声出力を停止させるものとしてもよい。
この場合、周波数情報記憶手段に記憶された周波数情報のうち、更新されていない周波数情報に基づいて受信を行った場合に音声を出力しないので、受信できない周波数における受信を試行して雑音が出力されるといったことがなく、ユーザの不快感を招くおそれがない。
【００１１】
本発明において、前記制御手段によって前記音声出力手段による音声出力が停止されたことを報知する報知手段をさらに備える構成としてもよい。
この場合、受信できない周波数における受信を試行して雑音が出力されるといったことがなく、さらに、雑音の出力を防止するために音声出力を停止したことがユーザに報知されるので、ユーザの不安感や混乱を招くおそれがない。
【００１２】
また、本発明は、それぞれ独立して周波数情報を記憶する周波数情報記憶手段および補助記憶手段を備えた受信機の制御方法であって、周波数帯域を掃引して受信可能な周波数を検出し、前記周波数情報記憶手段に記憶された周波数情報を、検出した周波数に基づいて更新する更新機能の実行時、前記周波数情報記憶手段に記憶された周波数情報を更新する前に、前記周波数情報記憶手段に記憶された周波数情報を前記補助記憶手段に記憶させること、を特徴とする受信機の制御方法を提供する。
この構成によれば、周波数情報記憶手段に記憶された周波数情報を更新した後に、周波数の掃引および更新が正常に完了されなかった場合だけでなく、更新が正常に完了した後であっても、更新前の状態を容易に復元できるので、周波数情報を記憶しておくことによる利便性を高めることができる。
【発明の効果】
【００１３】
本発明によれば、受信機において、周波数に係る周波数情報を記憶しておき、周波数帯域の掃引により受信可能な周波数を検出して、検出した周波数に基づいて周波数情報を更新する動作を行う際に、周波数情報を更新した後でも、更新前の状態を容易にかつ確実に復元できる。
【発明を実施するための最良の形態】
【００１４】
以下、図面を参照して本発明の具体的な実施形態について説明する。
［第１の実施形態］
図１は、本発明を適用した第１の実施形態に係る車載受信機１の構成を示すブロック図である。この図１は、あくまで車載受信機１の機能ブロックを示すものであり、図１の各ブロックを特定のハードウェアにより実現しても、ハードウェアとソフトウェアとの協働により実現してもよく、具体的な実装形態は任意である。
【００１５】
図１に示す車載受信機１（受信機）は、車両（図示略）に搭載され、ラジオ放送を受信して音声を出力する装置である。
図１に示すように、車載受信機１は、アンテナ１１を介して所定周波数の放送信号を受信して音声信号を生成するチューナ部１２（検出手段、受信手段）と、チューナ部１２により生成された音声信号を増幅して、スピーカ１４から音声を出力させるアンプ部１３（音声出力手段）と、チューナ部１２を制御するマイコン２０（制御手段）とを備えている。また、車載受信機１は、ユーザが車載受信機１を操作するためのキースイッチ等を備えた操作部１５（選択指示手段）と、チューナ部１２における受信状態等を表示する表示画面を備えた表示部１６（報知手段）とを備えている。
【００１６】
マイコン２０は、操作部１５の操作に従って、内蔵するＲＯＭ（図示略）に記憶した制御プログラムを実行することにより、車載受信機１の各部を制御する。すなわち、マイコン２０は、チューナ部１２を制御して、操作部１５の操作により指定された周波数の放送を受信させ、アンプ部１３を制御して所定の音量でスピーカ１４から音声を出力させるとともに、チューナ部１２により受信中の周波数等を表示部１６によって表示させる。
【００１７】
また、マイコン２０は、プリセットメモリ２１（周波数情報記憶手段）と、補助メモリ２２（補助記憶手段）とを内蔵する。
図２は、プリセットメモリ２１および補助メモリ２２の構成例を模式的に示す図である。
プリセットメモリ２１は、車載受信機１により受信可能な周波数に係る周波数情報を記憶するメモリであり、図２に示すように、例えば、周波数情報を記憶する領域が６個設けられている。これら６個の領域は、チャンネル１〜６と呼ばれる。
また、補助メモリ２２は、少なくとも、プリセットメモリ２１と同数の周波数情報を記憶する領域を有する。このため、プリセットメモリ２１に記憶された周波数情報（図２の例では６個）を、全て補助メモリ２２に記憶することができる。また、補助メモリ２２に記憶された周波数情報を、マイコン２０の制御によってプリセットメモリ２１に書き込むことも可能である。
ここで、周波数情報とは、周波数に限定されるものではなく、この周波数で受信を行う際の分周率やＮ値等を含む情報であってもよい。
【００１８】
プリセットメモリ２１は、通常、車載受信機１の電源がオフにされた状態でも周波数情報の記憶内容を保持できるよう、不揮発性の記憶素子（フラッシュメモリ等）を用いて構成されることが好ましく、補助メモリ２２も同様である。
【００１９】
図１に戻り、操作部１５は、後述する自動プリセット動作の開始を指示する自動プリセット指示部１５Ａと、自動プリセット動作中に動作停止を指示するキャンセル指示部１５Ｂと、補助メモリ２２に記憶された周波数情報をプリセットメモリ２１に記憶させる書き戻し動作を指示する書き戻し指示部１５Ｃ（復元指示手段）とを備えている。自動プリセット指示部１５Ａは、一つのスイッチとして実現されてもよいが、複数のスイッチを組み合わせた操作により実現されてもよく、この場合、階層構造化されたメニューに従ってキー操作が行われた場合に、マイコン２０において、このキー操作を自動プリセット指示部１５Ａの操作として検出してもよい。キャンセル指示部１５Ｂ及び書き戻し指示部１５Ｃについても同様であり、それぞれ一つのスイッチとして実現されてもよいし、複数のスイッチを組み合わせた操作により実現されてもよい。
【００２０】
車載受信機１は、チューナ部１２により受信可能な周波数帯域を全域にわたって掃引しながら放送信号の検出を行い、放送信号を検出した周波数に係る周波数情報を、順次、プリセットメモリ２１に記憶する自動プリセット動作を実行可能である。この自動プリセット動作によれば、現在受信可能な放送の周波数を自動的に検出し、検出した周波数を受信するための周波数情報を記憶するので、ユーザは、操作部１５を操作してチャンネル１〜６のうち所望のチャンネルを選択する操作を行うだけで選局を行うことができ、放送の音声を聴くことができる。これは、ユーザが受信周波数を直接指定して、或いは周波数を徐々に変化させて選局を行う場合に比べ、非常に操作が簡単で便利である。
【００２１】
図３は、車載受信機１による自動プリセット動作を示すフローチャートである。
操作部１５が備える自動プリセット指示部１５Ａ（図１）の操作が行われると、マイコン２０は、プリセットメモリ２１に記憶されている周波数情報を補助メモリ２２にコピーして、記憶させる（ステップＳ１１）。
続いて、マイコン２０は、受信可能な周波数帯域の掃引を行うため、チューナ部１２の受信周波数を下限の周波数に設定し（ステップＳ１２）、続いて、プリセットメモリ２１に周波数情報を記憶するためのパラメータｎ（ｎは１以上の正の整数）を１とする（ステップＳ１３）。ここで、下限の周波数とは、チューナ部１２により受信可能な周波数帯域の下限、或いは、予め自動プリセット動作における掃引周波数として定められた周波数帯域の下限である。
【００２２】
マイコン２０は、チューナ部１２における受信状態に基づいて、現在設定されている受信周波数で放送局の放送信号を受信しているか否かを判別する（ステップＳ１４）。ここで、放送信号を受信している場合（ステップＳ１４；Ｙｅｓ）、マイコン２０は、プリセットメモリ２１のｎ番目のチャンネルとして、現在設定されている周波数に係る周波数情報をプリセットメモリ２１に記憶する（ステップＳ１５）。このステップＳ１５では、既にプリセットメモリ２１にチャンネルｎとして記憶されている周波数情報が上書きされる。
【００２３】
その後、マイコン２０は、パラメータｎをインクリメント（＋１）し（ステップＳ１６）、パラメータｎの値が最大値を超えたか否かを判定し（ステップＳ１７）、パラメータｎの値が最大値を超えた場合は本処理を終了する。
パラメータｎは、現在の受信周波数に係る周波数情報をプリセットメモリ２１に記憶する場合のチャンネルを示すパラメータであるから、プリセットメモリ２１において記憶可能なチャンネル数が、パラメータｎの最大値となる。例えば図２に示した例によれば、プリセットメモリ２１にはチャンネル１〜６の周波数情報を記憶できるから、パラメータｎの最大値は６である。
【００２４】
また、パラメータｎの値が最大値を超えていない場合（ステップＳ１７；Ｎｏ）、マイコン２０は、現在設定されている受信周波数が上限の周波数であるか否かを判定し（ステップＳ１８）、チューナ部１２により受信可能な上限の周波数、或いは、予め自動プリセット動作における掃引周波数として定められた周波数帯域の上限であれば、本処理を終了する。
【００２５】
現在設定されている周波数が上限でなければ（ステップＳ１８；Ｎｏ）、マイコン２０は、キャンセル指示部１５Ｂによるキャンセルの指示の有無を判定し（ステップＳ１９）、キャンセル指示部１５Ｂの操作が無ければ、受信周波数を次の周波数に変更して（ステップＳ２０）、ステップＳ１４に戻る。
【００２６】
また、キャンセル指示部１５Ｂの操作により自動プリセット動作をキャンセルする旨が指示された場合（ステップＳ１９；Ｙｅｓ）、マイコン２０は、補助メモリ２２に記憶されている周波数情報を、プリセットメモリ２１に記憶させる処理を行い（ステップＳ２１）、本処理を終了する。
【００２７】
一方、チューナ部１２が、現在設定されている受信周波数で放送信号を受信していない場合（ステップＳ１４；Ｎｏ）、マイコン２０は、そのままステップＳ１８に移行して、受信周波数を変更する動作に移る。
【００２８】
以上の自動プリセット動作により、車載受信機１は、受信周波数の下限から上限まで受信周波数を変更しながら放送信号の受信の可否を判定し、放送信号を受信した周波数に係る周波数情報をプリセットメモリ２１に順次記憶していく。この自動プリセット動作は、プリセットメモリ２１に記憶可能な全てのチャンネルについて周波数情報が記憶された場合、受信周波数の上限まで掃引を行った場合、及び、キャンセル指示部１５Ｂの操作により自動プリセット動作がキャンセルされた場合に、終了する。
ここで、キャンセル指示部１５Ｂの操作により自動プリセット動作がキャンセルされた場合には、自動プリセット動作の開始時に補助メモリ２２に記憶された周波数情報が、プリセットメモリ２１に記憶される。これにより、プリセットメモリ２１の内容を、自動プリセット動作の開始前の状態に、容易に、かつ確実に復元することができ、車載受信機１の利便性を高めることができる。
【００２９】
この自動プリセット動作においては、周波数帯域を掃引して、プリセットメモリ２１に記憶された複数の周波数情報を順次更新するとともに、掃引を行う前の時点でプリセットメモリ２１の内容を補助メモリ２２に記憶する。このため、自動プリセット動作の実行前の状態を確実に補助メモリ２２に記憶しておくので、更新後に、プリセットメモリ２１の内容を完全に復元できる。
【００３０】
また、この図３に示す自動プリセット動作が終了した後も、自動プリセット動作の開始前にプリセットメモリ２１に記憶されていた周波数情報が、補助メモリ２２に記憶されている。このため、次に自動プリセット動作を行うまでの間は、プリセットメモリ２１の内容を、いつでも自動プリセット動作の開始前の状態に復元できる。この復元は、書き戻し指示部１５Ｃの操作に従ってマイコン２０がいつでも実行可能である。このため、車載受信機１においては、自動プリセット動作が問題なく完了した後であっても、簡単な操作によって、速やかにプリセットメモリ２１の内容を復元できる。
プリセットメモリ２１に記憶された各チャンネルの周波数情報は、上記の自動プリセット動作により更新される他、操作部１５の操作により、ユーザが更新や消去を行うことが可能である。この場合、プリセットメモリ２１には、ユーザの趣向を反映した状態で周波数情報が記憶されているので、この状態を復元することは容易でないし、自動プリセット動作によって前と同じ周波数情報を記憶することは不可能である。このような場合、図３に示す自動プリセット動作において、プリセットメモリ２１の内容を補助メモリ２２に記憶すれば、ユーザの趣向を反映した状態を容易に、かつ確実に復元できるので、利便性を大幅に高められる。
【００３１】
ここで、マイコン２０により、補助メモリ２２に記憶された周波数情報を、操作部１５の操作により指定されたタイミングで、或いは、予め設定されたタイミングで消去してもよい。
また、補助メモリ２２に記憶された周波数情報をプリセットメモリ２１に書き込むことでプリセットメモリ２１の内容を復元する処理は、書き戻し指示部１５Ｃの操作だけでなく、外部的な条件に従って自動的に行ってもよい。例えば、車載受信機１にカーナビゲーション装置を接続した構成において、上記車両（図示略）の移動に応じて、自動プリセット動作を実行したり、プリセットメモリ２１の内容を復元したりすることができる。例えば、上記車両がある地域から他地域に移動した場合に自動プリセット動作を実行し、上記車両がもとの地域に戻ってきた場合に、プリセットメモリ２１の内容を復元してもよい。この場合、車両の移動に合わせてプリセットメモリ２１の周波数情報が更新されるので、車両の現在位置における受信環境に適した周波数に係る周波数情報がプリセットメモリ２１に記憶され、さらに、元の場所に戻った場合は、以前に記憶していた周波数情報を復元することができる。
【００３２】
なお、上記第１の実施形態に係る車載受信機１は、自動プリセット動作において、プリセットメモリ２１の各チャンネルの周波数情報を順次上書き更新するものとして説明したが、本発明はこれに限定されるものではなく、例えば、自動プリセット動作の開始に先立ってプリセットメモリ２１の内容を消去してもよい。以下、この場合について第２の実施形態として説明する。
【００３３】
［第２の実施形態］
図４は、本発明を適用した第２の実施形態に係る自動プリセット動作を示すフローチャートである。この第２の実施形態に係る車載受信機１の構成は、上記第１の実施形態で図示及び説明したものと同一であるから、同符号を付して図示及び説明を省略する。
【００３４】
操作部１５が備える自動プリセット指示部１５Ａ（図１）の操作が行われると、マイコン２０は、プリセットメモリ２１に記憶されている周波数情報を補助メモリ２２にコピーして記憶させ（ステップＳ３１）、続いて、プリセットメモリ２１に記憶された周波数情報を全てクリア（消去）する（ステップＳ３２）。この時点でプリセットメモリ２１の全てのチャンネルには、対応する周波数情報が記憶されていない。
【００３５】
次に、マイコン２０は、チューナ部１２の受信周波数を下限の周波数に設定し（ステップＳ３３）、パラメータｎを１とする（ステップＳ３４）。
そして、マイコン２０は、チューナ部１２における受信状態に基づいて、現在設定されている受信周波数で放送局の放送信号を受信しているか否かを判別し（ステップＳ３５）、放送信号を受信している場合（ステップＳ３５；Ｙｅｓ）、プリセットメモリ２１のチャンネルｎとして、現在設定されている受信周波数に係る周波数情報を記憶させる（ステップＳ３６）。
【００３６】
続いて、マイコン２０は、パラメータｎをインクリメント（＋１）し（ステップＳ３７）、パラメータｎの値が最大値を超えたか否かを判定し（ステップＳ３８）、パラメータｎの値が最大値を超えた場合は本処理を終了する。
また、パラメータｎの値が最大値を超えていない場合（ステップＳ３８；Ｎｏ）、マイコン２０は、現在設定されている受信周波数が上限の周波数であるか否かを判定し（ステップＳ３９）、周波数帯域の上限であれば本処理を終了する。
【００３７】
現在設定されている周波数が周波数帯域の上限でなければ（ステップＳ３９；Ｎｏ）、マイコン２０は、キャンセル指示部１５Ｂによるキャンセルの指示の有無を判定し（ステップＳ４０）、キャンセル指示部１５Ｂの操作が無ければ、受信周波数を次の周波数に変更して（ステップＳ４１）、ステップＳ３５に戻る。
また、キャンセル指示部１５Ｂの操作により自動プリセット動作のキャンセルが指示された場合（ステップＳ４０；Ｙｅｓ）、マイコン２０は、補助メモリ２２に記憶されている周波数情報をプリセットメモリ２１に記憶させる処理を行い（ステップＳ４２）、本処理を終了する。
一方、チューナ部１２が、現在設定されている受信周波数で放送信号を受信していない場合（ステップＳ３５；Ｎｏ）、マイコン２０は、そのままステップＳ３９に移行して、受信周波数を変更する動作に移る。
【００３８】
以上のように、本第２の実施形態に係る自動プリセット動作により、車載受信機１は、自動プリセット動作の開始時にプリセットメモリ２１をクリアするので、プリセットメモリ２１には、この自動プリセット動作によって放送信号が検出された周波数に係る周波数情報のみが記憶されている。このため、自動プリセット動作において放送信号を受信した周波数が、プリセットメモリ２１のチャンネル数よりも少なかった場合であっても、以前に記憶された周波数情報はプリセットメモリ２１に残っていない。これにより、現在は放送信号を受信できない周波数に係る周波数情報が、プリセットメモリ２１に一切記憶されていないので、誤って、放送信号を受信できないチャンネルが選択されることがない。
通常、チューナ部１２によって放送信号を受信できないチャンネルが選択されると、スピーカ１４から雑音が出力され、ユーザが不快感を催すおそれがあるが、本第２の実施形態によれば、全てのチャンネルで放送信号を受信できるので、このような不快感をもたらす可能性は皆無である。従って、本第２の実施形態によれば、上記第１の実施形態で得られる効果に加え、ユーザが不快感をもたらすおそれがないという効果が得られる。
【００３９】
［第３の実施形態］
図５は、本発明を適用した第３の実施形態に係る自動プリセット動作を示すフローチャートである。この第３の実施形態に係る車載受信機１の構成は、上記第１の実施形態で図示及び説明したものと同一であるから、同符号を付して図示及び説明を省略する。
【００４０】
操作部１５が備える自動プリセット指示部１５Ａ（図１）の操作が行われると、マイコン２０は、プリセットメモリ２１に記憶されている周波数情報を補助メモリ２２にコピーして記憶させる（ステップＳ５１）。
次に、マイコン２０は、チューナ部１２の受信周波数を下限の周波数に設定し（ステップＳ５２）、パラメータｎを１とする（ステップＳ５３）。
そして、マイコン２０は、チューナ部１２における受信状態に基づいて、現在設定されている受信周波数で放送局の放送信号を受信しているか否かを判別し（ステップＳ５４）、放送信号を受信している場合（ステップＳ５４；Ｙｅｓ）、プリセットメモリ２１のチャンネルｎとして、現在設定されている周波数に係る周波数情報を記憶させ、プリセットメモリ２１の内容を更新する（ステップＳ５５）。
【００４１】
続いて、マイコン２０は、パラメータｎをインクリメント（＋１）し（ステップＳ５６）、パラメータｎの値が最大値を超えたか否かを判定し（ステップＳ５７）、パラメータｎの値が最大値を超えた場合は本処理を終了する。また、パラメータｎの値が最大値を超えていない場合（ステップＳ５７；Ｎｏ）、マイコン２０は、現在設定されている受信周波数が上限の周波数であるか否かを判定する（ステップＳ５８）。
【００４２】
ここで、現在設定されている受信周波数が上限の周波数であった場合（ステップＳ５８；Ｙｅｓ）、プリセットメモリ２１の一部のチャンネルで、周波数情報が更新されていないことになる。すなわち、プリセットメモリ２１の一部のチャンネルでは、自動プリセット動作の開始前の周波数情報が引き続き記憶されている。そこで、マイコン２０は、今回の自動プリセット動作で更新されなかったチャンネルに、識別情報としてのフラグを設定し（ステップＳ５９）、本処理を終了する。このステップＳ５９で設定されるフラグは、プリセットメモリ２１の各チャンネルに対応づけてプリセットメモリ２１または他の記憶領域に記憶される。
【００４３】
また、現在設定されている周波数が周波数帯域の上限でなければ（ステップＳ５９；Ｎｏ）、マイコン２０は、キャンセル指示部１５Ｂによるキャンセルの指示の有無を判定し（ステップＳ６０）、キャンセル指示部１５Ｂの操作が無ければ、受信周波数を次の周波数に変更して（ステップＳ６１）、ステップＳ５４に戻る。
また、キャンセル指示部１５Ｂの操作により、自動プリセット動作のキャンセルが指示された場合（ステップＳ６０；Ｙｅｓ）、マイコン２０は、補助メモリ２２に記憶されている周波数情報をプリセットメモリ２１に記憶させる処理を行い（ステップＳ６２）、本処理を終了する。
一方、チューナ部１２が、現在設定されている受信周波数で放送信号を受信していない場合（ステップＳ５４；Ｎｏ）、マイコン２０は、そのままステップＳ５９に移行して、受信周波数を変更する動作に移る。
【００４４】
この図５に示す自動プリセット動作によれば、プリセットメモリ２１の一部のチャンネルで周波数情報が更新されなかった場合、このチャンネルにフラグが設定される。このフラグにより、プリセットメモリ２１に記憶された各チャンネルの周波数情報について、更新された最新の周波数情報と、更新されていない周波数情報とを容易に区別できるようになる。
【００４５】
そして、マイコン２０は、プリセットメモリ２１のチャンネルを選択して受信する受信動作時に、選択されたチャンネルに対応付けられたフラグを参照し、フラグが設定されている場合は、スピーカ１４から出力する音声をミュートする。ここで、マイコン２０は、チューナ部１２を制御して音声信号の出力を停止させるか、或いは、アンプ部１３を制御してゲインをゼロにすることで、音声をミュートさせる。これにより、スピーカ１４からの雑音の出力が防止できる。加えて、単に音声をミュートするとユーザが戸惑う可能性があるので、表示部１６（図１）によって、ミュート中である旨をユーザに報知する。
【００４６】
図６は、受信動作時に表示部１６によって表示される表示画面の例を示す図である。
プリセットメモリ２１のいずれかのチャンネルが操作部１５の操作によって選択され、選択されたチャンネルの周波数情報に基づいて受信を行う場合、表示部１６により、図６（Ａ）に示す表示画面３０が表示される。この図６（Ａ）の表示画面３０には、プリセットチャンネル表示部３１に選択中のチャンネルが表示され、受信周波数表示部３２に、受信中の周波数が表示される。
【００４７】
ここで、操作部１５の操作により、フラグが設定されたチャンネルが選択された場合、表示部１６によって、例えば図６（Ｂ）に示す表示画面３０が表示される。
この図６（Ｂ）の表示画面３０には、プリセットチャンネル表示部３１に選択中のチャンネルが表示されるが、スピーカ１４からの音声はミュートされ、無音である。このため、受信周波数表示部３２の周波数の表示はブランク表示となり、ミュート表示３３において、ミュート中である旨が報知される。この図６（Ｂ）の表示画面３０によれば、ユーザに対して、雑音の出力を防止するためにミュート中である旨が報知されるので、ユーザの混乱を招くことがない。
【００４８】
以上のように、本第３の実施形態に係る自動プリセット動作により、車載受信機１は、自動プリセット動作により検出された放送信号の周波数が少数であり、プリセットメモリ２１の一部のチャンネルが更新されなかった場合に、誤って、放送信号を受信できないチャンネルが選択されても、スピーカ１４の音声をミュートすることで、雑音の出力を防止するので、ユーザが不快感をもたらすおそれがない。加えて、音声をミュート中である旨を表示画面によってユーザに報知するので、ユーザを混乱させるおそれがなく、極めて快適に利用可能で、利便性の高い車載受信機１を実現できる。
【００４９】
なお、上述した第１から第３の実施形態は本発明の一実施態様を示すものであり、本発明の範囲内で任意に変形および応用可能であることは勿論である。例えば、上記第１から第３の実施形態に係るプリセットメモリ２１と補助メモリ２２とは、具体的に別体として実装してもよいが、一つの記憶媒体にプリセットメモリ２１と補助メモリ２２とに各々対応する２つの記憶領域を設けてもよいし、一つの記憶媒体における記憶領域を、プリセットメモリ２１と補助メモリ２２との各々に割り当ててもよい。
【００５０】
また、本発明は、車載受信機１等の車載装置に限定されるものではなく、据え置き型の受信機や、他のオーディオ装置に車載受信機１の機能を搭載したものに適用することも可能であるし、ラジオ放送に限らずテレビ放送等、他の種類の放送を受信するものに適用してもよい。さらに、車両に搭載される装置として、例えばカーナビゲーション装置や車載音楽プレーヤーにおいて車載受信機１と同等の機能を有する機器に、本発明を適用してもよく、この場合、スピーカ１４に代えてヘッドホンを用いる携帯型の機器に適用してもよい。その他、アンテナ１１、チューナ部１２、アンプ部１３、表示部１６等の具体的な細部構成についても、本発明の趣旨を損なうことのない範囲において任意に変更可能である。
【図面の簡単な説明】
【００５１】
【図１】第１の実施形態に係る車載受信機の構成を示すブロック図である。
【図２】プリセットメモリおよび補助メモリの構成例を模式的に示す図である。
【図３】車載受信機の自動プリセット動作を示すフローチャートである。
【図４】第２の実施形態における自動プリセット動作を示すフローチャートである。
【図５】第３の実施形態における自動プリセット動作を示すフローチャートである。
【図６】表示部により表示される表示画面の構成例を示す図である。
【符号の説明】
【００５２】
１  車載受信機（受信機）
１１  アンテナ
１２  チューナ部（検出手段、受信手段）
１３  アンプ部（音声出力手段）
１４  スピーカ（音声出力手段）
１５  操作部（選択指示手段）
１５Ａ  自動プリセット指示部
１５Ｂ  キャンセル指示部
１５Ｃ  書き戻し指示部（復元指示手段）
１６  表示部（報知手段）
２０  マイコン（制御手段、検出手段）
２１  プリセットメモリ（周波数情報記憶手段）
２２  補助メモリ（補助記憶手段）
【図１】
2008085949.tif 000003
【図２】
2008085949.tif 000004
【図３】
2008085949.tif 000005
【図４】
2008085949.tif 000006
【図５】
2008085949.tif 000007
【図６】
2008085949.tif 000008